(57)【要約】      （修正有）【課題】従来の骨粗鬆症と脊椎骨の骨折の治療方法の欠点を改良できる。脊椎骨茎から脊椎骨の中に植え込む脊椎骨リハビリ用復位具を提供することを目的とする。【解決手段】矩形にして、四周側壁１１の一端は内側に向かって傾斜する四斜面１２を持ち、四周側面が包囲する部分に中空部１３を形成して且つ各側壁と連通し、四周側壁の別端はその外表面に凹み部１５を持ちこの凹み部の中央部にねじ孔１６を持つ、一種の脊椎骨茎から脊椎骨の中に植え込む脊椎骨リハビリ用復位具。【選択図】図1
0003107070.tif 000002
【実用新案登録請求の範囲】
【請求項１】
矩形体にして、その四周側壁の一端は内側に向かって傾斜する四斜面を形成し、前記四周側壁は中空部を包囲すると共に各一開き口を持って、前記中空部と連通し前期四周側壁の別端は密閉壁を形成しその外表面に凹み部を形成し、前記凹み部のほぼ中央部にねじ孔を持つことを特徴とする一種の脊椎骨茎から脊椎骨の中に植え込まれる脊椎骨リハビリ用復位具。
【考案の詳細な説明】
【技術分野】
【０００１】
本考案は、脊椎骨の骨折や骨粗鬆症の治療とリハビリに使用される、脊椎骨リハビリ用復位具に関する。
【考案の開示】
【考案が解決しようとする課題】
【０００２】
月経停止後の女性には、骨粗鬆症を発病する恐れがあり、また男性は年を取るとやはり同様に骨粗鬆症を発病する問題が起こり得る。骨粗鬆症は、即ち骨の組織の中からカルシウムが喪失することから引き起こされるもので、その為に骨が粗鬆して、脆くなったりして容易に骨折する恐れがある。特に脊椎骨はこの現象が顕著である。骨粗鬆症の危険因子には以下の様なものがある。
【０００３】
１.種族によるもの
黒色人種は、骨質密度が比較的高く、白色人種と黄色人種とは骨質密度が低いので骨粗鬆症が発病し易い。
【０００４】
２.生活形態によるもの
タバコを沢山吸ったり、酒を多量に飲んだり、コーヒーやお茶を過量に飲んだり、運動不足或いは運動を過量に行うことで起こる骨粗鬆症がある。
【０００５】
３.遺伝によるもの
骨粗鬆症を患う傾向が高い家系に起こり易い。
【０００６】
４.薬物によるもの
長期に亘りステロイドや、甲状腺素、利尿剤、テトロサイクリン、肝素、抗癲癇薬、リチウム塩、拮抗剤、アルミ性抗酸剤や化学療法による薬物の服用により患う骨粗鬆症がある。
【０００７】
５.性腺功能によるもの
男性の性腺功能不足や女性の自然的或いは手術により発生する早期月経停止から起こる骨粗鬆症がある。
【０００８】
６.性別、体質や年齢によるもの
女性は男性よりも骨粗鬆症にかかる傾向が６倍から８倍高く、また身体が痩せた人、初月経が比較的遅い人、未産婦や年齢が高い人は骨粗鬆症が発病し易い。
【０００９】
また、脊椎骨の骨粗鬆症と骨折の伝統的治療方法は、大体二種に分けられ、その一種は脊椎骨の後方から鋼釘を打ち入れて脊椎骨を固定させる方法であり、別の一種は脊椎骨の前方から骨を植え込んで脊椎骨を固定させる方法である。前者の後方から鋼釘を打ち入れる方法は、往々にして固定される脊椎骨を同時に固定させなければならない。そして一個の脊椎骨が損傷した場合、５個の連続する脊椎骨の活動を犠牲にしなければならず、結果として脊椎柱が硬化して自由に動けなくなる。この他、骨質が自然に粗鬆状態となっているため、骨折した脊椎骨を治療してもその回復後は一個の大きい空洞を残してしまい、そこを補修しなければ、単に鋼釘だけによる固定では不安定であるため、揺れ動いて断裂し、手術が失敗に終わる恐れがある。前方からの骨補強固定方法は、胸部または腹部を経由する手術になるので、その附近の内臓（例えば肺や血管等）等を傷つける恐れがある。更にその手術に必要な時間も比較的長くかかり、また肋骨を外して用いたり、他人から移植する骨を使用したりする場合もあるので、病原菌感染の問題もある。その外、脊椎柱の活動が犠牲となる問題もある。
【００１０】
本考案の目的は、前述した従来の骨粗鬆症と脊椎骨の骨折の治療方法の欠点を改良できる、脊椎骨茎から脊椎骨の中に植え込む脊椎骨リハビリ用復位具を提供することにある。
【課題を解決するための手段】
【００１１】
それで本考案の復位具は大体矩形にして、その四周側壁の一端は内向きに傾斜する４斜面を形成させ、その四周側壁に包囲される部分は中空部を形成して各周側壁の中空部と連通させ、また四周側壁の別端はその外表面に凹み部を形成し、更にこの凹み部の中央にねじ孔を設けている。それで特別の植え込み工具がそのねじ孔と螺合して、この復位具を傷害を受けた脊椎骨の中にはめ込み、更に中空部に患者自身の骨か或いは人工代用骨を填め塞ぐようにする。
【００１２】
次に本考案の復位具は適切な形状と寸法を決定して脊椎骨茎（pedicle）を通過できるようにして脊髄神経を傷つけないことをその重点とし、脊椎骨骨折のリハビリの役目をする。
【００１３】
更に本考案の設計は市場に販売されている脊椎骨間盤融合器（interbody fusion cage）との用途と全く異なり、脊椎骨間盤融合器は主として脊椎骨の間盤が病変（disc degenerative disease）の為に切除された後の融合手術に係るもので脊椎骨のリハビリと関係がない。間盤が切除術（disectomy）で切除された後、脊椎骨の不安定を防ぐもので、脊椎骨骨折の手術と完全に関係がない。それでこの脊椎骨間盤融合器は、その上下表面に凹み溝或いは逆かぎを形成して、滑り動くことや脱落を防止している。それでこの融合器は脊椎骨のリハビリに使用することはできない。若しも脊椎骨リハビリの復位具をこの様に設計したら脊椎神経を傷害する。
【００１４】
本考案の復位具はそのねじ孔で以って特殊の植え込み工具と螺合されて、傷害を受けた脊椎骨の中に植え込まれる。又植え込んだ後は植え込み工具をねじ戻して復位具から取りだせる。更に復位具の中空部には患者自身の骨或いは人工代用骨を填めておける。それでこの骨又は代用骨はその脊椎骨と次第に融合できるので脊椎骨を強化できることになる。
【考案の効果】
【００１５】
本考案の復位具（１）は脊椎骨茎（２１）から脊椎骨（２）に孔を開けるので腹部や胸部から手術を要せず、骨粗鬆症の為に脆くなったり、弱くなったりした脊椎骨（２）の中に植え込まれて、その脊椎骨（２）の郷土を増加させることができる。
【００１６】
更に復位具（１）を植え込んだ傷害を受けた脊椎骨は他の健全な脊椎骨（２）に傷害を与えることはなく、又脊椎骨相互間の活動を悪くすることはない。
【００１７】
その外、復位具は中空部（１３）を持っているので、その中に患者自身の骨或いは人工代用骨をその中に填め塞いだら、脊椎骨（２）の中の海綿骨と融合して生長し、脊椎骨の強度を増加する。
【００１８】
更にこの復位具（１）は椎弓切除（laminectomy）を必要としなく、脊椎骨（２）のリストラの作用をする。
【考案を実施するための最良の形態】
【００１９】
本考案の脊椎骨茎から脊椎骨に植え込む脊椎骨リハビリ用復位具（１）は図１が示すように矩形で、その四周側壁（１１）の一端は内側に傾斜する四斜面（１２）を形成し、この斜面（１２）の後方に連接する中空部（１３）を形成し、この中空部（１３）は四周側壁（１１）に包囲され、更に四周側壁（１１）も各一開き口を持ち中空部と連通し、更に四周側壁（１１）の別端（１４）は密閉壁を形成し、更にこの壁に凹み部（１５）を形成してその中央にねじ孔（１６）を設け、このねじ孔（１６）は中空部（１３）と連通するようにする。
【００２０】
次に復位具（１）を脊椎骨（２）の中に差し込む時は、図２が示すように脊椎骨（２）の脊椎骨茎（２１）から復位具（１）を収納できる植え込み孔（２２）を脊椎骨（２）の内に穿孔し、又更に復位具（１）にねじ孔（１６）を設けて、特殊の植え込み具でこのねじ孔（１６）に螺合してから復位具（１）を脊椎骨（２）の植え込み孔（２２）の中に差し込んで正確な位置に安定させる。更に植え込み工具をねじ戻して復位具（１）から取り外す。次に復位具（１）の中空部（１３）と植え込み孔（２２）に患者自身の骨或いは人工代用骨で填め塞いでおくと、この復位具（１）が脊椎骨（２）の中に固定される。図３はその状態を示す。
【図面の簡単な説明】
【００２１】
【図１】本考案に係る脊椎骨茎から脊椎骨の中に植え込む脊椎骨リハビリ用復位具の斜視図である。
【図２】本考案に係る脊椎骨茎から脊椎骨の中に植え込む脊椎骨リハビリ用復位具の使用状況を示す断面図である。
【図３】本考案に係る脊椎骨茎から脊椎骨の中に植え込む脊椎骨リハビリ用復位具の別の使用状況を示す断面図である。
【符号の説明】
【００２２】
１．復位具
１１．側壁
１２．斜面
１３．中空部
１４．末端面
１５．凹み部
１６．ねじ孔
２．脊椎骨
２１．脊椎骨茎
２２．植え込み孔
３．患者自身の骨（或いは人工代用骨）
４．骨釘
【図１】
0003107070.tif 000003
【図２】
0003107070.tif 000004
【図３】
0003107070.tif 000005